(57)【特許請求の範囲】
【請求項１】
映像同期信号に同期するクロックを入力して、該映像同期信号の１周期間に相当するクロック数をカウントするカウント手段と、
上記映像同期信号に対応して上記カウント手段をリセットする同期信号識別手段と、
上記カウント手段から出力されたカウント値を入力し、上記映像同期信号における1周期前のカウント値を記憶するカウント値記憶手段と、
該カウント値記憶手段からの出力によって、上記映像同期信号の現周期のカウント値が上記１周期前のカウント値前後となる所定のカウント間隔以外をマスキングするマスクパルスを発生するマスクパルス発生手段と、
上記映像同期信号を上記マスクパルスによってマスキングするマスク手段とを備えたことを特徴とする映像信号処理装置。
【請求項２】
上記映像同期信号が水平同期信号または垂直同期信号の少なくとも１つであることを特徴とする請求項１に記載の映像信号処理装置。
【請求項３】
上記カウント値記憶手段が、上記映像同期信号の現周期のカウント値が上記１周期前のカウント値であるときに同期信号識別信号を上記同期信号識別手段に出力し、上記映像同期信号の現周期のカウント値が上記１周期前のカウント値となる所定カウント間隔前にパルス幅設定信号を出力することを特徴とする請求項１に記載の映像信号処理装置。
【請求項４】
上記同期信号識別手段が、上記同期信号識別信号により上記映像同期信号に対応して上記カウント手段をリセットすることを特徴とする請求項１乃至３に記載の映像信号処理装置。
【請求項５】
マスクパルス発生手段が、上記パルス幅設定信号と上記カウント手段の出力に基づいて上記マスクパルスを発生することを特徴とする請求項１乃至４に記載の映像信号処理装置。
【請求項６】
上記カウント値記憶手段が、上記カウント手段から出力されたカウント値を入力し、上記映像同期信号における1周期前のカウント値と２周期前のカウント値とを記憶し、
上記マスクパルス発生手段が、上記カウント値記憶手段からの出力によって、上記映像同期信号の現周期のカウント値が上記１周期前のカウント値と上記２周期前のカウント値との前後となる所定のカウント間隔以外をマスキングするマスクパルスを発生することを特徴とする請求項１に記載の映像信号処理装置。
【請求項７】
映像同期信号に同期するクロックを入力して、該映像同期信号の１周期間に相当するクロック数をカウントするカウントステップと、
該カウントステップから出力されたカウント値を入力し、上記映像同期信号における1周期前のカウント値を記憶するカウント記憶手段ステップと、
該カウント記憶ステップからの出力によって、上記映像同期信号の現周期のカウント値が上記１周期前のカウント値前後となる所定のカウント間隔以外をマスキングするマスクパルスを発生するマスクパルス発生ステップと、
上記映像同期信号を上記マスクパルスによってマスキングするマスクステップとを備えたことを特徴とする映像信号処理方法。
【発明の詳細な説明】
【０００１】
【発明の属する技術分野】
この発明は、垂直同期信号または水平同期信号等の映像同期信号を用いて、映像信号を処理するプロジェクタ、モニター等の映像信号処理装置における入力同期信号処理部分に関するものである。
【０００２】
【従来の技術】
図５は、従来の映像信号処理装置を示すブロック図である。図において、２０１は入力される映像同期信号である水平同期信号（以下、ＨＳＹＮＣ１と称す）の周波数を固定クロック３を用いてカウントし、周波数測定結果１４を出力する周波数測定カウンタ、２０２はマイコン、１０１は上記ＨＳＹＮＣ１に同期した入力同期クロック３を用いてカウントするパルス発生用カウンタ、２０３は上記パルス発生用カウンタから入力されるカウント値２とマイコン２０２から設定されるノイズマスク幅設定カウント値１５にもとづいてマスクパルス１１を発生するマスクパルス発生回路、１０５は上記マスクパルス１１を使ってＨＳＹＮＣ１のノイズをマスクするマスク回路、２０４は上記マスクパルス１１に基いてノイズをマスクする区間を除き、ＨＳＹＮＣ１により上記カウンタのリセットパルス５を発生するリセットパルス発生回路である。
【０００３】
映像信号処理装置の動作については、まず、ＨＳＹＮＣ１が周波数測定カウンタ２０１に入力され、固定クロックを用いたカウンタによりその周波数が測定される。例えば、固定クロック１３の周波数を６５ＭＨｚとし、入力されるＨＳＹＮＣ１の周波数を６４ＫＨｚとすると、６５ＭＨｚ÷６４ＫＨｚ＝約１０１５となる。１０１５が、周波数の測定結果として周波数測定結果１５で出力されマイコン２０２へ入力される。マイコン２０２では周波数測定結果１５の数値にもとづき、実際にマスクパルス１６を発生するためのカウンタに使用される入力同期クロック３の周波数で最適なマスクパルス幅を計算し、その結果をノイズマスク幅設定カウント値１５として、マスクパルス発生回路２０３に入力する。
【０００４】
また、パルス発生用カウンタ１０１は、後述するリセットパルス発生回路２０４より出力するリセットパルス５によりリセットされた後、入力同期クロック３をカウントする。さらに、このリセットパルス５は、後述するマスクパルス１６により、マスクされたＨＳＹＮＣ１にもとづき発生するような構成となっており、ＨＳＹＮＣ１以外のパルスであるノイズにより、パルス発生用カウンタ１０１がリセットされないような構成となっている。
【０００５】
上記の構成において、パルス発生用カウンタ１０１はＨＳＹＮＣ１のみによりリセットされ、入力同期クロック３により水平方向のカウントをする。また、パルス発生用カウンタ１０１から出力されるカウント値２はマスクパルス発生回路２０３に入力される。さらに、マスクパルス発生回路２０３は、カウント値２とノイズマスク幅設定カウント値１５との比較により、マスクパルス１６を発生する。マスク回路１０５は、マスクパルス１６により，入力されるＨＳＹＮＣ１をマスキングして、映像信号処理へ出力する。
【０００６】
図６は、上記構成に基いたタイミングチャートを示す。図において、ＨＳＹＮＣ１の立下りエッジによってリセットされたパルス発生用カウンタ１０１は入力同期クロック３により、０〜Ｎ（Ｎは０以上の整数）までカウントされる。ここで、マスクパルス発生回路２０３にマイコン２０２からのノイズマスク幅設定カウント値１５のＮ−１と、パルス発生用カウンタ１０１からのカウント値２が入力されており、カウント値２が１になった時点マスクパルス１６を“Ｌ”から“Ｈ”にセットし、カウント値２がＮ−１になった時点で“Ｈ”から“Ｌ”にセットする。このマスクパルス１６はマスク回路１０５に入力される。例えば、マスク回路１０５はＯＲ回路の構成となっており、マスクパルス１６が“Ｈ”の区間を“Ｈ”に固定することによって、ノイズを除去する。
【０００７】
【発明が解決しようとする課題】
従来の映像信号処理装置は、以上のように構成されていたので、入力される映像同期信号の周波数に対して、最適な周波数のノイズ除去信号を発生させるため、入力される同期信号の周波数を計測するカウンタと、ノイズ除去信号を発生するためのカウンタと、かつ両カウンタの値からノイズ除去信号を発生するタイミングを計算する計算手段が必要である等、回路構成、およびノイズ除去を実現するシーケンスが非常に複雑であるという問題があった。
【０００８】
本発明は上記のような問題を解消するためになされたもので、入力される任意の同期信号の周波数を計測するカウンタとノイズ除去信号を発生するカウンタとを兼用させることにより、回路構成ならびにノイズ除去を実現するシーケンスを従来に比べて大幅に簡素化することを目的とする。
【０００９】
【課題を解決するための手段】
本発明に係る映像信号処理装置においては、映像同期信号に同期するクロックを入力して、該映像同期信号の１周期間に相当するクロック数をカウントするカウント手段と、上記映像同期信号に対応して上記カウント手段をリセットする同期信号識別手段と、上記カウント手段から出力されたカウント値を入力し、上記映像同期信号における1周期前のカウント値を記憶するカウント値記憶手段と、該カウント値記憶手段からの出力によって、上記映像同期信号の現周期のカウント値が上記１周期前のカウント値前後となる所定のカウント間隔以外をマスキングするマスクパルスを発生するマスクパルス発生手段と、上記映像同期信号を上記マスクパルスによってマスキングするマスク手段とを備えたものである。
【００１０】
また、上記映像同期信号が水平同期信号または垂直同期信号の少なくとも１つであるものである。
【００１１】
さらに、上記カウント値記憶手段が、上記映像同期信号の現周期のカウント値が上記１周期前のカウント値であるときに同期信号識別信号を出力し、上記映像同期信号の現周期のカウント値が上記１周期前のカウント値となる所定カウント間隔前にパルス幅設定信号を出力するものである。
【００１２】
また、同期信号識別手段が上記同期信号識別信号により上記映像同期信号に対応して上記カウント手段をリセットするものである。
【００１３】
さらにまた、マスクパルス発生手段が、上記パルス幅設定信号と上記カウント手段の出力に基づいて上記マスクパルスを発生するものである。
【００１４】
また、上記カウント値記憶手段が、上記カウント手段から出力されたカウント値を入力し、上記映像同期信号における１周期前のカウント値と２周期前のカウント値とを記憶し、上記マスクパルス発生手段が、上記カウント値記憶手段からの出力によって、上記映像同期信号の現周期のカウント値が上記１周期前のカウント値と上記２周期前のカウント値との前後となる所定のカウント間隔以外をマスキングするマスクパルスを発生するものである。
【００１５】
さらに、本発明に係る映像信号処理方法においては、映像同期信号に同期するクロックを入力して、該映像同期信号の１周期間に相当するクロック数をカウントするカウントステップと、該カウントステップから出力されたカウント値を入力し、上記映像同期信号における１周期前のカウント値を記憶するカウント記憶手段ステップと、該カウント記憶ステップからの出力によって、上記映像同期信号の現周期のカウント値が上記１周期前のカウント値前後となる所定のカウント間隔以外をマスキングするマスクパルスを発生するマスクパルス発生ステップと、上記映像同期信号を上記マスクパルスによってマスキングするマスクステップとを備えたものである。
【００１６】
【発明の実施の形態】
実施の形態１．
図１は本発明に係わる実施の形態１における映像信号処理装置のブロック図である。図において、１０１は映像同期信号に同期するクロックを入力して、該映像同期信号の１周期間に相当するクロック数をカウントするカウント手段の機能を有し、入力されるＨＳＹＮＣ１の立下りエッジのタイミングでリセットされ、かつＨＳＹＮＣ１に同期した入力同期クロック３によりカウントするパルス発生用カウンタ、１０３はカウント手段から出力されたカウント値を入力し、上記映像同期信号における１周期前のカウント値を記憶するカウント値記憶手段の機能を有し、パルス発生用カウンタ１０１がＨＳＹＮＣ１の立下りエッジのタイミングでリセットされた時点でのカウント値２を記憶するカウント値記憶回路である。
【００１７】
また、１０２はカウント値記憶手段からの出力によって、映像同期信号の現周期のカウント値が１周期前のカウント値前後となる所定のカウント間隔以外をマスキングするマスクパルスを発生するマスクパルス発生手段の機能を有し、パルス発生用カウンタ１０１から出力されるカウント値２と、カウント値記憶回路１０３から出力されるパルス幅設定信号６にもとづき、ＨＳＹＮＣ１に混入されるノイズを除去することを目的としたマスクパルス７を発生するマスクパルス発生回路である。
【００１８】
１０５は映像同期信号をマスクパルス７によってマスキングするマスク手段の機能を有し、マスクパルス発生回路１０２より出力されるマスクパルス７にもとづき、入力されるＨＳＹＮＣ１に混入されるノイズを除去するマスク回路、１０４は、同期信号識別信号４により映像同期信号に対応してカウント手段をリセットする同期信号識別手段の機能を有し、カウント値記憶回路１０３から出力される同期信号識別信号４により、入力されたＨＳＹＮＣ１に混入されているノイズと本来のＨＳＹＮＣ１を識別し、上記パルス発生用カウンタ１０１のリセット信号を発生する同期信号識別回路である。
【００１９】
次に動作について説明する。パルス発生用カウンタ１０１は、同期信号識別回路１０４から出力されるリセットパルス５により、カウント値２を“０”にリセットする。その後、入力されるＨＳＹＮＣ１に同期した入力同期クロック３により、カウントアップし、そのカウント値２をマスクパルス発生回路１０２とカウント値記憶回路１０３に出力する。
【００２０】
カウント値記憶回路１０３では、同時にＨＳＹＮＣ１が入力されており、ＨＳＹＮＣ１の立下りエッジのタイミングでカウント値２を記憶する。その後、再び同じカウント値２が入力されたタイミングで、同期信号識別信号４を同期信号識別回路１０４に出力する。同時に、マスクパルス発生回路１０２に、マスクパルス７の幅を設定するパルス幅設定信号６を出力する。
【００２１】
同期信号識別回路１０４では、同期信号識別信号４がアクティブのタイミングで入力されるパルスのみＨＳＹＮＣ１と識別し、リセットパルス５をパルス発生用カウンタ１０１に出力する。
【００２２】
また、マスクパルス発生回路１０２では入力されるカウント値２にもとづき、あらかじめマスクパルス７を発生するタイミングが定められており、そのタイミングにしたがってマスクパルス７を発生する。マスク回路１０５では入力されたマスクパルス７のタイミングで、同じく入力されたＨＳＹＮＣ１をマスクし、後段の信号処理へマスクされたＨＳＹＮＣであるマスクＨＳＹＮＣ８を出力する。
【００２３】
図２は、本実施の形態の具体的な動作を示すタイミングチャートである。図において、初期状態からＨＳＹＮＣ１の立下りエッジのタイミングが（１）から（４）までの４回生じる場合が表示されている。ＨＳＹＮＣ１の立下りエッジのタイミング（３）以降の定常状態では、ＨＳＹＮＣ１の立下りエッジのタイミングでパルス発生用カウンタ１０１のカウント値２がリセットされる。このときのカウント値２であるＮ（Ｎは０以上の整数）をカウント値記憶回路１０３が記憶する。その後、再びカウント値２がＮになると、カウント値記憶回路１０３で、同期信号識別信号４を“Ｈ”にして出力する。同期信号識別回路１０４では、同期信号識別信号４が“Ｈ”の期間のみ、ＨＳＹＮＣの立下りエッジが入力された場合、リセットパルス５となる負極性のパルスを出力する構成となっている。すなわちＨＳＹＮＣ１以外の負極性のパルス（いわゆるノイズ）により、カウンタがリセットされない構成となっており、カウント値２のＮは、入力されるＨＳＹＮＣ１の周波数の測定結果を示している。、
【００２４】
マスクパルス発生回路１０２では、入力されるカウント値２にもとづいて、マスクパルス７を出力する。ここでマスクパルス７の効果的な幅であるが、ノイズはどのタイミングで混入されるかは予想がつかない。したがって、ＨＳＹＮＣ１の立下りエッジや、立ち上がりエッジ、あるいはその両方のエッジ以外の区間を極力長くマスクできるようなマスク幅にすることがのぞましい。本実施の形態では、ＨＳＹＮＣ１の立下りエッジ以外の部分を極力マスクできる幅のマスクパルス７の発生方法について具体的に説明する。
【００２５】
任意の周波数のＨＳＹＮＣ１に対して、カウント値２が“１”の時、すなわち、ＨＳＹＮＣ１の立下りエッジのタイミングによりリセットされた直後、マスクパルス７を”Ｌ“→”Ｈ“に設定する。次にカウント値記憶回路１０３では、ＨＳＹＮＣ１の立下りエッジのタイミングでリセットしたパルス発生用カウンタ１０１のカウント値２がＮを記憶しているが、このＮの値から１を引いた値、すなわちＮ−１のタイミングで、パルス幅設定信号６を出力する。このパルス幅設定信号６のパルスがアクティブ、すなわち”Ｈ“のタイミングで、マスクパルス７を”Ｈ“→”Ｌ“にセットする。
【００２６】
上記のように、マスクパルス７はＨＳＹＮＣ１の立下りエッジを除いた区間を極力長い区間マスクする幅となり、マスク回路１０５において、入力されるＨＳＹＮＣ１とＯＲゲートをとり、ＨＳＹＮＣ１の立下りエッジ以外の部分を全て“Ｈ”に固定することにより、ノイズ除去を実現する。
【００２７】
さて、本映像装置における初期設定は、ＨＳＹＮＣ１の入力時からを表しており、ＨＳＹＮＣ１は“Ｈ”、カウント値２は無、同期信号識別信号４は“Ｌ”、リセットパルス５は“Ｈ”、マスクパルス７は“Ｌ”である。図において、ＨＳＹＮＣ１の最初の立ち下がりエッジであるタイミング（１）では、カウント値記憶回路１０３にカウント値２の記憶はなく、同期信号識別信号４とパルス幅設定信号６とが出力されず、同期信号識別回路１０４からリセットパルス５が出力されない。よって、マスクパルス発生回路１０２からマスクパルス７は出力されずマスク回路１０５からはＨＳＹＮＣ１がそのまま出力される。
【００２８】
次に、ＨＳＹＮＣ１の２回目の立ち下がりエッジであるタイミング（２）では、初めて、カウント値記憶回路１０３にカウント値２のＮが記憶されるため、同期信号識別信号４とパルス幅設定信号６とが出力されず、同期信号識別回路１０４からリセットパルス５が出力されない。よって、マスクパルス発生回路１０２からマスクパルス７は出力されずマスク回路１０５からはＨＳＹＮＣ１がそのまま出力される。タイミング（３）の手前カウント値２がＮ−１でパルス幅設定信号６のパルスがアクティブ、すなわち”Ｈ“のタイミングとなるが、マスクパルス７が”Ｌ“なのでそのままとまる。
【００２９】
次に、ＨＳＹＮＣ１の３回目の立ち下がりエッジであるタイミング（３）では、カウント値記憶回路１０３にカウント値２のＮが記憶されているため、同期信号識別信号４とパルス幅設定信号６とが出力され、同期信号識別回路１０４からリセットパルス５が出力される。よって、マスクパルス発生回路１０２からマスクパルス７は出力され、マスク回路１０５からはマスクされたマスクＨＳＹＮＣ８が出力される。
【００３０】
従って上記初期状態では、ＨＳＹＮＣ１の３回目までは、ノイズ゛が残ることとなるが、ノイズの残る部分を有効画面外とすることによって画像への影響は無い。また、ＨＳＹＮＣ１の周波数が大きく変わる場合も同様に初期にマスキングができない箇所が生じるが有効画面の取り方で解決できる。
【００３１】
上記実施の形態では、ＨＳＹＮＣ１の立下りエッジを除く極力長い区間をマスクする場合について述べたが、後段のシステムによっては、ＨＳＹＮＣ１の立ち上がりエッジ、または立下りエッジおよび立上がりエッジの両方を除いた部分をマスクするような構成としてもよい。
【００３２】
また、上記実施の形態では、パルス発生用カウンタ１０１が出力するカウント値２が１の時にマスクパルス７を“Ｌ”→“Ｈ”に、そしてリセットされた時点でのカウント値２のＮに対してＮ−１の時点で、マスクパルス７を“Ｈ”→“Ｌ”に設定したが、他のカウント値２にしたがってマスクパルス７を設定してもよい。
【００３３】
さらに、上記実施の形態では、ＨＳＹＮＣ１の極性が負極性の場合について説明したが、正極性の場合でもよい。同様にマスクパルス７等、実施の形態中で説明した信号の極性については、あくまでも一例であり、他の極性を用いても同様の効果を得ることが出来る。
【００３４】
また、上記実施の形態では、パルス発生用カウンタ１０１が、“０”→“１”→“２”…とカウントアップするいわゆるアップカウンタの構成になっているが、ダウンカウンタの構成にしても、同様の効果を得ることが出来る。
【００３５】
さらにまた、上記実施の形態ではＨＳＹＮＣのノイズを除去する場合について説明したが、映像同期信号として垂直同期信号（以下、ＶＳＹＮＣと称す）のノイズを除去する場合についても同様の効果を得ることが出来る。
【００３６】
また、本実施の形態における映像信号処理方法は、映像同期信号に同期するクロックを入力して、該映像同期信号の１周期間に相当するクロック数をカウントするカウントステップと、該カウントステップから出力されたカウント値を入力し、上記映像同期信号における1周期前のカウント値を記憶するカウント記憶手段ステップと、該カウント記憶ステップからの出力によって、上記映像同期信号の現周期のカウント値が上記１周期前のカウント値前後となる所定のカウント間隔以外をマスキングするマスクパルスを発生するマスクパルス発生ステップと、上記映像同期信号を上記マスクパルスによってマスキングするマスクステップ
とを備えたものである。
【００３７】
実施の形態２．
図３は本発明に係わる実施の形態２における映像信号処理装置のブロック図であり、カウント値記憶手段が、カウント手段から出力されたカウント値を入力し、上記映像同期信号における1周期前のカウント値と２周期前のカウント値とを記憶し、マスクパルス発生手段が、上記カウント値記憶手段からの出力によって、映像同期信号の現周期のカウント値が上記１周期前のカウント値と２周期前のカウント値との前後となる所定のカウント間隔以外をマスキングするマスクパルスを発生することを特徴とするものである。
【００３８】
図において、１０１、１０２、１０４、１０５は、実施の形態１と同じ動作である。１０６はパルス発生用カウンタ１０１から出力されるカウント値と、入力されるＨＳＹＮＣ１により、ＨＳＹＮＣ１の立下りエッジでリセットされた時点のカウント値を記憶するカウント値記憶回路、１０７は上記カウント値記憶回路から出力されるカウント値と後述する１Ｈ遅延回路１０８から出力される１Ｈ前のカウント値を比較し、両カウント値が一致した場合のみ入力されるＨＳＹＮＣの周波数の測定結果と判断し、その測定結果にもとづき、実施の形態１と同様に同期信号識別信号とパルス設定信号を出力するカウント値比較回路、１０８はカウント値記憶回路１０６から出力されるカウント値を１Ｈ期間遅延させる、１Ｈ遅延回路である。
【００３９】
図４は実施の形態２の動作を示したタイミングチャートであり、図４を用いて具体的に実施の形態２の動作について説明する。カウント値記憶回路１０６はパルス発生用カウンタ１０１から入力されるカウント値をＨＳＹＮＣの立下りエッジでリセットされた時点でのカウント値を、次のＨＳＹＮＣの立下りエッジが入力されるまで記憶する。すなわち１Ｈ期間の間、リセットされた時点でのカウント値を記憶する。次にこの記憶したカウント値を、カウント値比較回路１０７と１Ｈ遅延回路１０８へ出力する。
【００４０】
１Ｈ遅延回路１０８では、カウント値記憶回路１０６から１Ｈ毎に出力されるカウント値、すなわち映像同期信号の現周期である現在のカウント値９を１Ｈ期間遅延させ、カウント比較回路１０７へ出力する。カウント値比較回路１０７では、現在のカウント値９と１Ｈ前のカウント値１０とを比較する。その結果、現在のカウント値＝１Ｈ前のカウント値２であれば、比較したカウント値２を入力されているＨＳＹＮＣ１の正しい周波数測定結果とみなし、実施の形態１と同様に、同期信号識別信号４を同期信号識別回路１０４に、パルス幅設定信号６をマスクパルス発生回路１０２へ出力する。現在のカウント値９と１Ｈ前のカウント値１０が一致しなかった場合は、同期信号識別信号４およびパルス幅設定信号６とも出力せず、再び次のカウント値２の比較を行う。
【００４１】
上記のように、ＨＳＹＮＣ１の周波数の測定結果を２Ｈ連続し、両カウント値が一致したときのみ、同期信号識別信号４およびパルス幅設定信号６を出力するので、入力されるＨＳＹＮＣ１に対して精度のよい最適な幅のマスクパルス１１をマスクパルス発生回路１０２は出力することができる。
【００４２】
本実施の形態では、ＨＳＹＮＣ１の周波数を測定結果であるカウント値２を２回連続して一致した時点で、正しい測定結果とみなし、そのカウント値にもとづいて、マスクパルス１１を発生するような構成としたが、２回連続でなくてもよく、３回連続、あるいは４回連続といった複数回の連続した比較動作を行うことにより、さらに精度のよい測定結果を得ることができ、かつ最適な幅のマスクパルス１１を得ることができる。
【００４３】
また、上記実施の形態では、周波数の測定結果を２回連続、あるいは複数回連続して一致したときのみ、正しい周波数の測定結果としたが、必ずしも連続である必要はなく、ある一定の法則にしたがった比較結果でも同等の効果を得ることができる。
【００４４】
例えば、１０回連続して比較したうち、６回以上一致した場合はその測定結果を入力されたＨＳＹＮＣ１の周波数測定結果とみなし、６回以上一致したカウント値２にもとづいて、最適な幅のマスクパルス１１を出力することができる。このように、一定の法則にしたがって、ＨＳＹＮＣ１の周期を複数回測定することにより、本映像信号処理装置に入力されている信号が切換わる等して、大きくＨＳＹＮＣ１の周期が変動しても、それをノイズとみなすことなく自動的に変動した後の周波数に対応した最適な幅のマスクパルス１１を出力することができる。
【００４５】
また、上記実施の形態では、ＨＳＹＮＣ１の極性が負極性の場合について説明したが、正極性の場合についてでもよい。同様にマスクパルス１１等、実施の形態中で説明した信号の極性については、あくまでも一例であり、他の極性を用いても同様の効果を得ることが出来る。
【００４６】
さらに、上記実施の形態ではパルス発生用カウンタ１０１が、“０”→“１”→“２”…とカウントアップするいわゆるアップカウンタの構成になっているが、ダウンカウンタの構成にしても、同様の効果を得ることが出来る。
【００４７】
また、上記実施の形態ではＨＳＹＮＣのノイズを除去する場合について説明したが、図３における１Ｈ遅延回路１０８でカウント値を１Ｖ期間遅延させる１Ｖ遅延回路というような回路に変更すれば、ＶＳＹＮＣのノイズを除去する場合についても同様の効果を得ることが出来る。
【００４８】
【発明の効果】
本発明は、以上説明したように構成されているので、以下に示すような効果を奏する。
【００４９】
カウント手段から出力されたカウント値を入力し、上記映像同期信号における1周期前のカウント値を記憶するカウント値記憶手段と、該カウント値記憶手段からの出力によって、上記映像同期信号の現周期のカウント値が上記１周期前のカウント値前後となる所定のカウント間隔以外をマスキングするマスクパルスを発生するマスクパルス発生手段とを備えたことによって、回路構成ならびにノイズ除去を実現するシーケンスを従来に比べて大幅に簡素化できる。
【００５０】
また、上記映像同期信号が水平同期信号または垂直同期信号の少なくとも１つであることによって、現行の映像装置に対応できる。
【００５１】
さらに、上記カウント値記憶手段が、上記映像同期信号の現周期のカウント値が上記１周期前のカウント値であるときに同期信号識別信号を出力し、上記映像同期信号の現周期のカウント値が上記１周期前のカウント値となる所定カウント間隔前にパルス幅設定信号を出力することによって、最適なマスキングができる。
【００５２】
また、上記同期信号識別手段が、上記同期信号識別信号により上記映像同期信号に対応して上記カウント手段をリセットすることにより確実なリセットができる。
【００５３】
さらにまた、マスクパルス発生手段が、上記パルス幅設定信号と上記カウント手段の出力に基づいて上記マスクパルスを発生することによって、最適なマスク幅を設定できる。
【００５４】
また、上記カウント値記憶手段が、上記カウント手段から出力されたカウント値を入力し、上記映像同期信号における1周期前のカウント値と２周期前のカウント値とを記憶し、上記マスクパルス発生手段が、上記カウント値記憶手段からの出力によって、上記映像同期信号の現周期のカウント値が上記１周期前のカウント値と上記２周期前のカウント値との前後となる所定のカウント間隔以外をマスキングするマスクパルスを発生することにより、ノイズの除去をより確実にできる。
【００５５】
さらに、カウントステップから出力されたカウント値を入力し、上記映像同期信号における1周期前のカウント値を記憶するカウント記憶手段ステップと、該カウント記憶ステップからの出力によって、上記映像同期信号の現周期のカウント値が上記１周期前のカウント値前後となる所定のカウント間隔以外をマスキングするマスクパルスを発生するマスクパルス発生ステップと、上記映像同期信号を上記マスクパルスによってマスキングするマスクステップとを備えたことにより、簡易なシーケンスでノイズ除去が行える。
【図面の簡単な説明】
【図１】  実施の形態１における映像信号処理装置のブロック図である。
【図２】  実施の形態１における映像信号処理装置の動作を説明するタイミングチャートである。
【図３】  実施の形態２における映像信号処理装置のブロック図である。
【図４】  実施の形態２における映像信号処理装置の動作を説明するタイミングチャートである。
【図５】  従来技術における映像信号処理装置のブロック図である。
【図６】  従来技術における映像信号処理装置の動作を説明するタイミングチャートである。
【符号の説明】
１  ＨＳＹＮＣ、  ２  カウント値、  ３  入力同期クロック、  ４  同期信号識別信号、  ５  リセットパルス、  ６  パルス幅設定信号、  ７  マスクパルス、  ８  マスクＨＳＹＮＣ、  ９現在のカウント値、  １０  １Ｈ目のカウント値、  １１  マスクパルス、  １２  マスクＨＳＹＮＣ、  １０１  パルス発生カウンタ、  １０２マスクパルス発生回路、  １０３  カウント値記憶回路、  １０４  同期信号識別回路、  １０５  マスク回路、  １０６  カウント値記憶回路、  １０７  カウント値比較回路、  １０８  １Ｈ遅延回路。
【図１】
0004487437.tif 000002
【図２】
0004487437.tif 000003
【図３】
0004487437.tif 000004
【図４】
0004487437.tif 000005
【図５】
0004487437.tif 000006
【図６】
0004487437.tif 000007